(57)【要約】【課題】テンプル部分とヨロイ部分を同じ色や模様にして統一感を出す事。【解決手段】前端部（１１）には一方のヒンジ部（３２）を有するテンプル芯金（１０）と、末端にもう一方のヒンジ部（３１）を有し前端部にはレンズ又はフロントフレーム部分に固定する固定手段（５０）を有するヨロイ部品とを、予め前記ヒンジ部分同士を連結固定し前記テンプル芯金とヨロイ部品とを互いに真直ぐな状態で同一の樹脂（２０）で被覆した後切り離した。【選択図】図１
2006235556.tif 000002
【特許請求の範囲】
【請求項１】
前端部には一方のヒンジ部を有するテンプル芯金と、末端にもう一方のヒンジ部を有し前端部にはレンズ又はフロントフレーム部分に固定する固定手段を有するヨロイ部品とを、予め前記ヒンジ部分同士を連結固定し前記テンプル芯金とヨロイ部品とを互いに真直ぐな状態で同一の樹脂で被覆した後切り離した事を特徴とする眼鏡のサイドフレーム。
【請求項２】
前記同一の樹脂で被覆する方法が、芯張り、射出成形、又はシート材へのシューティング加工の何れか一つの方法により作られた物であることを特徴とする請求項１記載の眼鏡のサイドフレーム。
【請求項３】
前記固定手段が、レンズ又はフロントフレーム側部部分と、ヨロイ部分前端部とに各々設けられた螺着手段、弾性力を利用した嵌合手段、又は磁着手段の何れか一つの手段又はそれらの手段の組合せによるものである事を特徴とする請求項１記載の眼鏡のサイドフレーム。
【発明の詳細な説明】
【技術分野】
【０００１】  本発明は、眼鏡のヨロイ部分から耳掛け部分迄のサイドフレーム（テンプル部分＋ヨロイ部分）の構造に関する。又、そのサイドフレームと関連するフロントフレームとの固着構造にも関する。
【背景技術】
【０００２】  従来、樹脂製の一部の眼鏡を除き、眼鏡のレンズ又はフロントフレームの両端部にヨロイ部品がテンプル部品との連結接続用に設けられていた。又、テンプル芯金のその殆んど全体を樹脂被覆する方法も知られている。
【発明の開示】
【発明が解決しようとする課題】
【０００３】  しかしながら、ヨロイ部品の殆どはテンプルとは別体に形成される為に、テンプルのほぼ全体に被覆される樹脂製のテンプルピースとヨロイ部品との間の色や模様の違いによる違和感が生じていた。【０００４】  又、テンプルピースをテンプル芯金のほぼ全体に装着する際に両方の切り口部を合わせる為に芯金部端部の合口部で切り落とすことになってしまい、せっかくテンプル芯金に施したメッキが剥がれたりして合口部が見栄えが悪くなってしまっていた。
【課題を解決するための手段】
【０００５】  そこで本発明は、ヨロイ部品とテンプルピースとの一体感を表現する為の方法を採用した。即ち、前端部には一方のヒンジ部を有するテンプル芯金と、末端にもう一方のヒンジ部を有し前端部にはレンズ又はフロントフレーム部分に固定する固定手段を有するヨロイ部品とを、予め前記ヒンジ部分同士を連結固定した状態で、前記テンプル芯金とヨロイ部品とを互いに真直ぐな状態で同一の樹脂で被覆した後切り離した事を特徴とする眼鏡のサイドフレームの提供により上記課題の解決を図った。
【発明の効果】
【０００６】  本発明は上記構造及び方法を採用した事により、テンプルピースとヨロイ部品が同一の色や連続した模様を呈示する為に、違和感の無い一体的なスッキリしたデザインを提供できると共に、製造に於いても簡単で、しかもテンプル芯金やヨロイ部品の合口部を切り落とすことなく、例えメッキ層が有ったとしても除去されずにしっかりと残す事が出来る。
【発明を実施するための最良の形態】
【０００７】  前端部には一方のヒンジ部を有するテンプル芯金と、末端にもう一方のヒンジ部を有し前端部にはレンズ又はフロントフレーム部分に固定する固定手段を有するヨロイ部品とを、予め前記ヒンジ部分同士を連結固定した状態で、前記テンプル芯金とヨロイ部品とを互いに真直ぐな状態で、芯張り、射出成形、又はシート材等の同一の樹脂で被覆した後切り離した事を特徴とする眼鏡のサイドフレームの提供。以下図によって順次詳述する。
【実施例】
【０００８】  図１は本発明の実施例の要部平面図であり、前端部１１には一方のヒンジ部３２を有するテンプル芯金１０と、末端４１にもう一方のヒンジ部３１を有し前端部４２にはレンズ又はフロントフレーム部分に固定する固定手段５０を有するヨロイ部品４０とを、予め前記ヒンジ部分同士３１，３２を連結固定し前記テンプル芯金とヨロイ部品とを互いに真直ぐな状態で同一の被覆樹脂２０で被覆した状態を表しており、テンプル部分とヨロイ部分が統一された色又は模様で一体感のあるデザインで提供できた。この場合被覆樹脂は、シート状の樹脂板を切削加工したものや、射出成形により形成された樹脂材でも良い。【０００９】  図２は図１のヒンジ部方向から見た要部背面図であり、この図からも解る様に被覆樹脂２０の前端部２１からヒンジ部３０を過ぎるまで矩形の切欠き凹部４３が設けられている。これは後述するが製造の際に、芯金素型又は芯金を挿入する際に挿入し易く仕上げを綺麗にする為に重要である。又この状態から切り離し線Ｐに沿って樹脂部分を切り離す事となる。【００１０】  図３、図４は本発明の実施例の要部平面図とその要部背面図であり、この場合は、貼り合わせの樹脂板を使用した所謂芯張り方法による物であり、表面２０ｂと裏面２０ａの色や模様の異なった材料を貼り合わせてその後シューティング等により孔開け加工されたその後に連結された芯金とヨロイを挿入した物である。【００１１】  図５、図６は本発明の加工に使用される芯金素型６０とテンプル芯金１０とヨロイ４０が連結部で結合された夫々の例図であり、この芯金素型６０は従来の芯金素型より長く、テンプル１０とヨロイ部分４０を合わせた長さ以上を有するように形成される。【００１２】  そして、図１，２の様にシート材をヒンジ部と固定手段部分が収まる切り欠き凹部４３を設ける様にして所望のサイドフレーム形状に切り出し、温めて軟化状態とし、芯金素型６０を高周波等により温度をかけシューティングにより差込み少し冷ました状態で芯金素型を引抜、バリ等を除去した後、テンプル芯金１０とヨロイ部品４０を連結部で連結した状態で芯金素型を抜き取ったサイドフレーム樹脂に挿入する。この場合ヨロイ部品４０と樹脂の間に接着剤を塗布しても良い。そしてその後、切り離し線Ｐの部分で樹脂のみを切り離す事でほぼ出来上がる。【００１３】  又、熱可塑性樹脂を用いて射出成型で加工する場合は、上記シート材と形状的には同じであるが、切り出すのではなく金型に射出成形により形成し、冷める前の軟化状態のときに芯金素型を高周波等により温度をかけシューティングにより差込み少し冷ました状態で芯金素型を引抜、バリ等を除去した後、テンプル芯金１０とヨロイ部品４０を連結部で連結した状態で芯金素型を抜き取ったサイドフレーム樹脂に挿入する。この場合もヨロイ部品４０と樹脂の間に接着剤を塗布しても良い。そしてその後、切り離し線Ｐの部分で樹脂部分のみを切り離す事でほぼ出来上がる。【００１４】  次に貼り合わせ、すなわち芯張りで加工する場合は、図３、４のように、表面２０ｂと裏面２０ａの色や模様の異なった材料を所定の形状に切り出してから貼り合わせて、温めて軟化状態とし、芯金素型６０を高周波等により温度をかけシューティ���グにより差込み少し冷ました状態で芯金素型を引抜、バリ等を除去した後、テンプル芯金１０とヨロイ部品４０を連結部で連結した状態で芯金素型を抜き取ったサイドフレーム樹脂に挿入する。この場合もヨロイ部品４０と樹脂の間に接着剤を塗布しても良い。そしてその後、切り離し線Ｐの部分で樹脂部分を前後に切り離す事で出来上がる。以上のようにして本発明の眼鏡のサイドフレームは大体三つの方法の何れかの方法により完成される。【００１５】  次に、本発明のサイドフレーム（テンプル部分＋ヨロイ部分）と、レンズ又はフロントフレームとの固定構造に付いては、図７から図９迄で説明する。【００１６】  先ず図７に於いては、本発明のサイドフレーム（テンプル部分＋ヨロイ部分）１とフロントフレーム７０との間をフロントフレームに設けられた嵌合凸部７０ａにサイドフレームの嵌合凹部５１ａを嵌合させ螺着手段５２により固定した状態を表しており、本発明の構造のサイドフレームでも簡単に嵌合可能となる。【００１７】  次に図８に於いては、フロントフレーム７１に弾性嵌合手段５３を設け、本発明のサイドフレームに被嵌合手段５４を設け固定する方法を表している。これは又、逆にサイドフレームに弾性嵌合手段を設け、フロントフレームに被嵌合手段を設けても良い。【００１８】  図９はフロントフレーム７２と本発明のサイドフレーム１を磁着手段８０，８１で固定する場合を表している。【００１９】  上記固定手段である螺着手段、弾性力を利用した嵌合手段、又は磁着手段各々単独手段のみならず、それらの組み合わせによる周知の固定手段又は固定装置であっても良い。【００２０】  図７から図９のフロントフレームは所謂リムを有さないリムレス眼鏡のレンズやレンズ部品であっても構わない。【００２１】  本発明のサイドフレームをフロントフレームに固定するにはヨロイ部品を直接フロントフレームにロウ付けする方法は取りづらいので上記方法による固定手段が有効である。又、以上の様に本発明のサイドフレームのフロントフレームへの接合が簡単に行えることになった。
【図面の簡単な説明】
【００２１】
【図１】本発明の要部平面図
【図２】本発明の要部背面図
【図３】本発明の他の要部平面図
【図４】本発明の他の要部背面図
【図５】本発明に用いる芯金素型の平面図
【図６】本発明に用いるテンプルとヨロイの平面図
【図７】本発明のサイドフレームとフロントフレームの固定手段部平面図
【図８】本発明のサイドフレームとフロントフレームの他の固定手段部フロントから見た正面図
【図９】本発明のサイドフレームとフロントフレームの他の固定手段部平面図
【符号の説明】
１    サイドフレーム
１０  テンプル芯金
１１  テンプル前端部
１２  合口部
２０  被覆樹脂
３０  ヒンジ部
３１、３２  ヒンジ部品
４０  ヨロイ部品
５０  固定手段
６０  芯金素型
７０  フロントフレーム（又はレンズ）
【図１】
2006235556.tif 000003
【図２】
2006235556.tif 000004
【図３】
2006235556.tif 000005
【図４】
2006235556.tif 000006
【図５】
2006235556.tif 000007
【図６】
2006235556.tif 000008
【図７】
2006235556.tif 000009
【図８】
2006235556.tif 000010
【図９】
2006235556.tif 000011